(57)【要約】【課題】複数のサブチャンネルを画面を分割することで一覧表示して、サブチャンネルのチャンネル選択の煩わしさを解消するとともに、当初の放送枠と異なるサブチャンネル放送を上記分割画面にて確認することが可能なディジタルテレビジョン対応型テレビジョンの提供を目的とする。【解決手段】物理チャンネルのチャンネル設定のプリセットを行う際、サブチャンネル設定手段１３ｂは、同物理チャンネルに重畳されて送信されたサブチャンネルのチャンネル設定情報を上記番組情報を基に記録し、チャンネルキー１５ｂ２の操作にて物理チャンネルに対応したチャンネル番号を入力した後、ハイフンキー１５ｂ７の操作を行うと、サブチャンネル設定手段１３ｂにて記録された複数のチャンネル設定情報に基づいて、サブチャンネル表示手段（１２、１３ｂ）はサブチャンネル放送を画面を分割して表示する。【選択図】図１
2007266686.tif 000002
【特許請求の範囲】
【請求項１】
特定周波数の搬送波にトランスストリームとして物理チャンネル、複数のサブチャンネル、さらには番組情報とが重畳されたディジタルテレビジョン電波を受信するチューナ部と、
上記チューナ部にて受信されたテレビジョン電波を基に画面を複数分割して表示可能な映像回路と、
少なくとも複数のチャンネルキーとハイフンキーとを有するリモコンからの操作信号を受け付け、記録部に記録された制御プログラムに基づいて上記チューナ部と、上記映像回路とを制御する制御部とを有するディジタルテレビジョン放送対応型テレビジョンにおいて、  上記制御部は、上記チューナ部のチャンネル設定のプリセットの際、上記チューナ部が受信したディジタルテレビジョン電波の上記物理チャンネルに重畳した番組情報を基に、上記物理チャンネルと同物理チャンネルに重畳されたサブチャンネルの対応関係を物理チャンネル／サブチャンネルテーブルとして作成することでサブチャンネルのチャンネル設定のオートプリセットを行い、
上記リモコンのチャンネルキーの押圧にて物理チャンネルに対応するキーの選択をした後、上記ハイフンキーの押圧がなされると、上記制御部は、同リモコンにて選択された物理チャンネルに重畳された複数のサブチャンネルを画面上に最大４件まで表示さるとともに、上記重畳されたサブチャンネルが４件以上である場合は、次画面にて残りのサブチャンネルを表示し、
上記チューナ部にて受信されたサブチャンネルが、上記作成した物理チャンネル／サブチャンネルテーブルに記載されてない場合は、画面上に表示された同サブチャンネルに対応する映像を認識可能に表示するとともに、画面上にサブチャンネルのオートプリセットを促す文字列を表示するサブチャンネル表示プログラムを記録することを特徴とするディジタルテレビジョン放送対応型テレビジョン。
【請求項２】
特定周波数の搬送波に物理チャンネル、複数のサブチャンネル、さらには番組情報とが重畳されたディジタルテレビジョン電波を受信するチューナ部と、
少なくとも複数のチャンネルキーとハイフンキーとを有するリモコンからの操作信号を受け付け、同リモコンが選択したチャンネル番号を基に、上記チューナ部が受信したディジタルテレビジョン放送を複数の映像を画面を分割して表示可能な映像表示手段とを有するディジタルテレビジョン放送対応型テレビジョンにおいて、
上記物理チャンネルのチャンネル設定のプリセットを行う際、同物理チャンネルに重畳されて送信されたサブチャンネルのチャンネル設定情報を上記番組情報を基に記録するサブチャンネル設定手段と、
上記リモコンのチャンネルキーの操作にて上記物理チャンネルに対応したチャンネル番号を入力した後、上記ハイフンキーの操作を行うと、上記サブチャンネル設定手段にて記録された複数のチャンネル設定情報に基づいて、同物理チャンネルに重畳されたサブチャンネル放送を画面を分割して上記映像表示手段に表示させるサブチャンネル表示手段とを有することを特徴とするディジタルテレビジョン放送対応型テレビジョン。
【請求項３】
上記サブチャンネル表示手段は、上記チャンネル設定情報をトランスストリームごとに送信される番組情報を基に更新し、
上記更新したチャンネル設定情報と前回のトランスストリームにて送信されたチャンネル設定情報とを比較するとともに、上記更新したチャンネル設定情報に新たなサブチャンネル放送が存在した場合は、上記新たなサブチャンネルを認識可能に表示するサブチャンネル変更対応手段を有することを特徴とする請求項２に記載のディジタルテレビジョン放送対応型テレビジョン。
【請求項４】
上記サブチャンネル変更対応手段は、上記新たに追加されたサブチャンネルを上記サブチャンネル表示手段に表示させる際、同サブチャンネルが表示される画面の色を変化することを特徴とする請求項３に記載のディジタルテレビジョン放送対応型テレビジョン。
【請求項５】
上記サブチャンネル変更対応手段は、上記新たに追加されたサブチャンネルを上記サブチャンネル表示手段に表示させる際、同画面上に表示されたサブチャンネルのチャンネル設定情報を上記サブチャンネル設定手段に記録することを促す文字列を表示させることを特徴とする請求項３に記載のディジタルテレビジョン放送対応型テレビジョン。
【発明の詳細な説明】
【技術分野】
【０００１】
本発明は、ディジタルテレビジョン放送対応型テレビジョンに関し、特に、サブチャンネルを表示可能なディジタルテレビジョン放送対応型テレビジョンに関する。
【背景技術】
【０００２】
近年より高画質化・多チャンネル化が可能なディジタルテレビジョン放送が普及しつつある。ディジタルテレビジョン放送としては、ＢＳ（Ｂｒｏａｄｃａｓｔｉｎｇ Ｓａｔｅｌｌｉｔｅ）ディジタル放送、ＣＳ（Ｃｏｍｍｕｎｉｃａｔｉｏｎｓ Ｓａｔｅｌｌｉｔｅ）ディジタル放送に代表されるディジタル放送が発信されるようになり、日本でも２０１１年をめどに完全移行がなされる予定である。ディジタルテレビジョン放送の先進国として北米におけるディジタル放送は、ＡＴＳＣ（Ａｄｖａｎｃｅｄ Ｔｅｌｅｖｉｓｉｏｎ Ｓｙｓｔｅｍｓ Ｃｏｍｍｉｔｔｅｅ）によって規格化されており、アナログ放送とは互いに異なる仮想チャンネルにより発信される。これらの内、従来のアナログ放送と同一又は同一系統の放送局から発信されるディジタル放送は数多くあり、この場合は、従来のアナログ放送のチャンネル番号に慣れたユーザの使い勝手を向上させるため、従来のアナログ放送のチャンネル番号と同一のチャンネル番号が割り当てられた物理チャンネルによって、選局や表示が行えるように運営されている。
【０００３】
図７はディジタルテレビジョンに使用されるＴＳ（トランスストリーム）を表す図である。同図より、１つのトランスストリームには、特定周波数の搬送波に擬似的に対応した物理チャンネルと、複数のサブチャンネル、さらには物理チャンネルとサブチャンネルの番組情報を記載したＳＩ（番組情報）とが重畳されて送信されてくる。また、物理チャンネルに重畳されて送信されるサブチャンネルは突発的に放送時間枠の変更がなされる。そして、ディジタル放送では、上記のごとく変動するチャンネル構成についての情報は、映像等の信号と共に発信されている。従って、ディジタル放送受信装置では、上記ディジタル放送信号をチューナによって受信し、ディジタルデコーダによってデコードし、その復号信号に含まれる番組情報を解析すれば、その放送の情報を取得することができる。
【０００４】
しかしながら、アナログテレビジョン放送では、搬送波に対して１つの番組が割り当てられていたが、ディジタルテレビジョン放送においては、上述した重畳されたサブチャンネルにより、キャリアとしての周波数とディジタルテレビジョン放送は、１対１に対応していない。このため、サブチャンネルの選局はリモコンにて順次表示していくしかなかった。
【０００５】
サブチャンネル放送を選局する方法としては、トランスストリームに重畳される番組情報を基に画面を分割し、重畳されたサブチャンネル放送紹介用の画像を表示し、ユーザが上記画面上で所定のサブチャンネル放送紹介用の画像を選択した場合は、上記サブチャンネルを全画面で表示する方法が開示されている（例えば、特許文献１参照。）。
【０００６】
また、サブチャンネル放送紹介用の画像を使用せず、重畳された番組情報を基に画面を複数分割して、同分割された画面上にサブチャンネル放送を表示する方法が開示されている（例えば、特許文献２参照。）。
【０００７】
さらには、物理チャンネルとサブチャンネルのリモコンを用いた選局方法として入力の少ない簡単な操作で物理チャンネルとサブチャンネルの選局を行う方法が開示されている（例えば、特許文献３参照。）。
【特許文献１】特開平９−３２６９７２
【特許文献２】特開平１１−２５２５２０
【特許文献３】特開２００２−２３２７９６
【発明の開示】
【発明が解決しようとする課題】
【０００８】
上述した特許文献１の発明は、次のような課題があった。つまり、サブチャンネルの選択画面にサブチャンネル紹介用の映像を重畳しており、上記サブチャンネル紹介用の映像の分だけサブチャンネルの放送枠が使用されることがあった。また、上記サブチャンネル紹介用の映像がないサブチャンネルの場合、映像は画面に表示されることはなかった。
【０００９】
また、特許文献２の発明は、次のような課題がった。つまり、サブチャンネルを選択するためにサブチャンネル放送を使用するが、サブチャンネルの分割画面の表示方法に煩わしさがあった。さらには、サブチャンネル放送は放送時間枠の変更が頻繁にあるため、上記サブチャンネルの分割表示において意図したものがどうかの確認がとれなった。
【００１０】
また、特許文献３の発明は、次のような課題があった。特許文献３の発明は、サブチャンネルの選局方法であるため、サブチャンネル放送の内容まで確認するものではなかった。
【００１１】
本発明は、上記課題にかんがみてなされたもので、複数のサブチャンネルを画面を分割することで一覧表示して、ユーザにサブチャンネルのチャンネル選択の煩わしさを解消するとともに、当初の放送枠と異なるサブチャンネル放送を上記分割画面にて確認することが可能なディジタルテレビジョン対応型テレビジョンの提供を目的とする。
【課題を解決するための手段】
【００１２】
上記課題を解決するために、本発明の請求項１にかかる発明では、特定周波数の搬送波にトランスストリームとして物理チャンネル、複数のサブチャンネル、さらには番組情報とが重畳されたディジタルテレビジョン電波を受信するチューナ部と、上記チューナ部にて受信されたテレビジョン電波を基に画面を複数分割して表示可能な映像回路と、少なくとも複数のチャンネルキーとハイフンキーとを有するリモコンからの操作信号を受け付け、記録部に記録された制御プログラムに基づいて上記チューナ部と、上記映像回路とを制御する制御部とを有するディジタルテレビジョン放送対応型テレビジョンにおいて、
上記制御部は、上記チューナ部のチャンネル設定のプリセットの際、上記チューナ部が受信したディジタルテレビジョン電波の上記物理チャンネルに重畳した番組情報を基に、上記物理チャンネルと同物理チャンネルに重畳されたサブチャンネルの対応関係を物理チャンネル／サブチャンネルテーブルとして作成することで、上記サブチャンネルのチャンネル設定のプリセットを行い、上記リモコンのチャンネルキーの押圧にて物理チャンネルに対応するキーの選択をした後、上記ハイフンキーの押圧がなされると、上記制御部は、同リモコンにて選択された物理チャンネルに重畳された複数のサブチャンネルを画面上に最大４件まで表示さるとともに、上記重畳されたサブチャンネルの件数が４件以上である場合は、次画面にて残りのサブチャンネルを表示し、上記チューナ部にて受信されたサブチャンネルが、上記作成した物理チャンネル／サブチャンネルテーブルに記載されてない場合は、画面上に表示された同サブチャンネルに対応する映像を認識可能に表示するとともに、画面上にサブチャンネルのオートプリセットを促す文字列を表示するサブチャンネル表示プログラムを記録する構成としてある。
【００１３】
上記のように構成した請求項１にかかる発明においては、制御部は、チューナ部が搬送波と一対一で対応する物理チャンネルのオートプリセットを行う際、物理チャンネルに重畳された番組情報を基に、サブチャンネルと物理チャンネルの対応付けを物理チャンネル／サブチャンネルテーブルとして作成する。次に、上記物理チャンネル／サブチャンネルテーブルを使用して、リモコンのチャンネルキーの押圧により物理チャンネルに対応するキーを選択した後、ハイフンキーの押圧がなされると、制御部は、物理チャンネル／サブチャンネルテーブルを参照し、画面を分割してサブチャンネルを一覧表示する。このとき、制御部はトランスストリームごとに、重畳される番組情報と物理チャンネル／サブチャンネルの比較を行っており、番組情報にて物理チャンネル／サブチャンネルテーブルと異なるサブチャンネルの放送があった場合は、同サブチャンネル放送を表示するとともに、画面を認識可能に表示するとともに、サブチャンネルのオートプリセットを促す文字列を表示する。
【００１４】
また、上記目的を達成するために、請求項２に記載のディジタルテレビジョン放送対応型テレビジョンでは、特定周波数の搬送波に物理チャンネル、複数のサブチャンネル、さらには番組情報とが重畳されたディジタルテレビジョン電波を受信するチューナ部と、少なくとも複数のチャンネルキーとハイフンキーとを有するリモコンからの操作信号を受け付け、同リモコンが選択したチャンネル番号を基に、上記チューナ部が受信したディジタルテレビジョン放送を複数の映像を画面を分割して表示可能な映像回路とを有するディジタルテレビジョン放送対応型テレビジョンにおいて、
上記物理チャンネルのチャンネル設定のプリセットを行う際、同物理チャンネルに重畳されて送信されたサブチャンネルのチャンネル設定情報を上記番組情報を基に記録するサブチャンネル設定手段と、上記リモコンのチャンネルキーの操作にて上記物理チャンネルに対応したチャンネル番号を入力した後、上記ハイフンキーの操作を行うと、上記サブチャンネル設定手段にて記録された複数のチャンネル設定情報に基づいて、同物理チャンネルに重畳されたサブチャンネル放送を画面を分割して表示するサブチャンネル表示手段とを有する構成としてある。
【００１５】
上記のように構成した請求項２にかかる発明において、サブチャンネル設定手段は、上記物理チャンネルのチャンネル設定のプリセットを行う際、同物理チャンネルに重畳されて送信されたサブチャンネルのチャンネル設定情報を上記番組情報を基に記録する。そして、サブチャンネル表示手段は、上記リモコンのチャンネルキーの操作にて上記物理チャンネルに対応したチャンネル番号を入力した後、上記ハイフンキーの操作を行うと、上記サブチャンネル設定手段にて記録された複数のチャンネル設定情報に基づいて、同物理チャンネルに重畳されたサブチャンネル放送を画面を分割して表示する構成としてある。
【００１６】
そして、請求項３にかかる発明では、請求項２に記載のディジタルテレビジョン放送対応型テレビジョンであって、上記サブチャンネル表示手段は、上記チャンネル設定情報をトランスストリームごとに送信される番組情報を基に更新し、上記更新したチャンネル設定情報と前回のトランスストリームにて送信されたチャンネル設定情報とを比較するとともに、上記更新したチャンネル設定情報に新たなサブチャンネル放送が存在した場合は、上記新たなサブチャンネルを認識可能に表示するサブチャンネル変更対応手段を有する構成としてある。
【００１７】
上記のように構成した請求項３にかかる発明において、サブチャンネル表示手段は、上記チャンネル設定情報をトランスストリームごとに送信される番組情報にて更新するとともに、更新されたチャンネル設定情報と更新前のチャンネル設定情報を比較する。上記新たに更新されたチャンネル設定情報に新たなサブチャンネル放送が存在すれば、サブチャンネル変更対応手段は、上記サブチャンネル放送を分割画面に表示するとともに、同分割画面上で認識可能に表示する。
【００１８】
さらに、請求項４にかかる発明では、請求項３に記載のディジタルテレビジョン放送対応型テレビジョンにおいて、上記サブチャンネル変更対応手段は、上記新たに追加されたサブチャンネルを上記サブチャンネル表示手段に表示させる際、同サブチャンネルが表示される画面の色を変化する構成としてある。
【００１９】
上記のように構成した請求項４にかかる発明において、新たなサブチャンネル放送を表示する場合は、サブチャンネル変更対応手段は、同サブチャンネルが表示される画面の色を変化させる。
【００２０】
さらに、請求項５にかかる発明は、請求項３に記載のディジタルテレビジョン放送対応型テレビジョンにおいて、上記サブチャンネル変更対応手段は、上記新たに追加されたサブチャンネルを上記サブチャンネル表示手段に表示させる際、同画面上に表示されたサブチャンネルのチャンネル設定情報を上記サブチャンネル設定手段に記録することを促す文字列を表示させる構成としてある。
【００２１】
上記のように構成した請求項５にかかる発明において、あらたなサブチャンネルの放送が見つかった場合は、サブチャンネル変更対応手段は、同画面上に表示されたサブチャンネルのチャンネル設定情報を上記サブチャンネル設定手段に記録することを促す文字列を表示させる。
【発明の効果】
【００２２】
以上説明したように本発明によれば、サブチャンネルを一覧表示するので、ユーザに番組の選択の煩わしさを解消することができる。
また請求項３にかかる発明によれば、時間によって変化するサブチャンネルにも対応可能なサブチャンネルの一覧表示を提供することができる。
そして請求項４にかかる発明によれば、突発的に変更になったサブチャンネルを分割画面にて認識可能に表示することができる。
また、請求項５にかかる発明によれば、画面上にサブチャンネルのオートプリセットを促す文字列を表示することで、ユーザに認識可能にサブチャンネルのオートプリセットを確認することができる。
さらに請求項１のような、より具体的な構成において、上述した請求項２〜請求項４の各発明と同様の作用を奏することはいうまでもない。
【発明を実施するための最良の形態】
【００２３】
以下、下記の順序に従って本発明の実施形態であるディジタルテレビジョン放送対応型テレビジョンの説明を行う。
（１）ディジタルテレビジョン放送対応型テレビジョンの構成
（２）サブチャンネルの表示方法
（３）まとめ
【００２４】
（１）ディジタルテレビジョン放送対応型テレビジョンの構成 
以下、図１、図２、図３、図４、図５および図６を参照して、この発明に係るディジタルテレビジョン放送対応型テレビジョン１０を具体化した実施の形態について説明する。図１はディジタルテレビジョン放送対応型テレビジョン１０のブロック構成図である。同図より、ディジタルテレビジョン放送対応型テレビジョン１０は、表示装置１０ａ側に、チューナ部１１と、映像回路（映像表示手段）１２と、制御部１３と、表示ディスプレイ１６と、音声回路１７と、電源回路１４とを有し、さらに上記表示装置１０ａを遠隔操作するリモコン１５とを有する構成である。ディジタルテレビジョン放送対応型テレビジョン１０の概略的な動作の説明として、リモコン１５の操作に基づいて、制御部１３の指示の基テレビジョン放送を受信して、表示ディスプレイ１６に映像を表示させる。以下に具体的な説明を行う。
【００２５】
リモコン１５は、赤外線送信部１５ａと、操作キー１５ｂとを有する構成である。ユーザが操作キー１５ｂを押圧すると各操作キー１５ｂに対応した操作信号が出力される。赤外線送信部１５ａは上記操作信号を受け入れると、同操作信号を所定の赤外線信号に変換して表示装置１０ａ側に出力する。操作キー１５ｂとしては、表示装置１０ａの電源を入力する電源キー１５ｂ１、チャンネルの切替を行うチャンネルキー１５ｂ２、１５ｂ３、音量の調整を行う音量キー１５ｂ４、表示装置１０ａに０ＳＤ映像を表示させるためのメニューキー１５ｂ５、上記ＯＳＤ映像上でのメニューの選択を行うＥＮＴＥＲキー１５ｂ６、さらにはディジタルテレビジョン放送のチャンネルを選択する際に使用されるハイフンキー１５ｂ７と、ＯＳＤ映像上でカーソル等の操作を行う左右キー１５ｂ８とを有している。リモコン１５は上記した各キーの押圧に対応する赤外線信号を表示装置１０ａに出力することで各操作を実現する。
【００２６】
表示装置１０ａは、制御部１３にてリモコン１５からの各赤外線信号を受け付ける。制御部１３は、リモコン１５からの赤外線信号を受信するリモコンＩ／Ｆ１３ａ、上記受信した赤外線信号を基に表示装置１０ａの制御を行うマイコン１３ｂ、マイコン１３ｂが制御を行うためのプログラムを記録する記録部１３ｃ、さらには、ＯＳＤ映像を表示するためのＯＳＤ回路１３ｄとを有している。リモコンＩ／Ｆ１３ａはリモコン１５から送信された赤外線信号を操作信号に再度変換し、マイコン１３ｂに出力する。記録部１３ｃは、リモコンＩ／Ｆ１３ａからの操作信号に基づいてマイコン１３ｂが所定の制御を行うための制御プログラムを記録しており、上記制御プログラムに基づいてマイコン１３ｂは、表示装置１０ａの制御を行う。記録部１３ｃとしては、プログラムを記録するためのＲＯＭ、マイコン１３ｂの作業テーブルとしてのＲＡＭ、さらにはＨＤＤ等が挙げられる。
【００２７】
リモコン１５からのチャンネルキー１５ｂ２の押圧に基づいて、アナログテレビジョン放送とディジタルテレビジョン放送のいずれかが選択されると、マイコン１３ｂは、チューナ部１１に、上記選択されたチャンネルキー１５ｂ２、１５ｂ３に対応する特定周波数の搬送波を受信するよう指示を出す。チューナ部１１は、アンテナ１１ａが受信したディジタルテレビジョン電波とアナログテレビジョン電波を基に、マイコン１３ｂの指示に基づいて所定のチャンネルに対応する映像信号と音声信号を生成するクロマ制御を行う。チューナ部１１は、アナログ／ディジタルチューナ部１１ｂ、アナログデコーダ１１ｃ、ディジタルデコーダ１１ｄ、さらには、スイッチング部１１ｅとを有する構成である。
【００２８】
アナログ／ディジタルチューナ部１１ｂは、ディジタルテレビジョン電波とアナログテレビジョン電波のいずれかから映像信号と音声信号を生成する。アナログデコーダ１１ｃは、上記アナログ／ディジタルチューナ部１１ｂがアナログテレビジョン電波を受信した際、上記した映像信号と音声信号をアナログ／ディジタル変換する。ディジタルデコーダ１１ｄは、ディジタルテレビジョン電波を受信した際は上記した映像信号と音声信号とをアナログ／ディジタル変換するとともに、ＭＰＥＧ２方式のデコードを行う。また、スイッチング部１１ｅは、アナログデコーダ１１ｃの出力とディジタルデコーダ１１ｄの出力とをマイコン１３ｂの指示により切り替える。アナログ／ディジタルチューナ部１１ｂとしてはＰＬＬ方式が挙げられる。
【００２９】
リモコン１５のチャンネルキー１５ｂ２、または１５ｂ３の操作に応じて、チューナ部１１が所定のチャンネルに対応したテレビジョン放送を選択するために、事前にチャンネル設定のオートプリセットを行う必要がある。オートプリセットは、リモコン１５のメニューキー１５ｂ５の押圧により画面に表示されるＯＳＤ画面で行うことができる。オートプリセットは、チャンネルキー１５ｂ２の操作信号と搬送波の周波数をチューナ部１１にて対応付けるものである。このとき、アナログテレビジョン電波は搬送波とデータとしてのテレビジョン放送が１対１の対応であるが、ディジタルテレビジョン電波は、１つの搬送波に対してテレビジョン放送、ないしはラジオ放送が多重化されたＴＳ（トランスストリーム）形式で送信される。このため、ディジタルテレビジョン電波では、ＴＳ内に含まれるデータとしてのテレビジョン放送を特定するためのＳＩ（番組情報）を有している。ＳＩは、チャンネルの名称、番組の名称、放送日時などの番組情報（ＥＰＧ）を含む。
【００３０】
このため、マイコン１３ｂは、ディジタルテレビジョン放送のチャンネル設定のプリセットとして、物理チャンネルのプリセットを通常の方法で行った後、サブチャンネルのチャンネル設定のプリセットをＴＳの送信ごとに送られてくるＳＩ情報を基に、物理チャンネル／サブチャンネルテーブルを生成し記録部１３ｃに記録させることで実行する。マイコン１３ｂは、物理チャネル／サブチャネルテーブルを参照することで、物理チャンネルとサブチャンネルの対応関係を認識する。このため、チャンネルキー１５ｂ２の操作ごとにマイコン１３ｂは、上記物理チャンネル／サブチャンネルテーブルを参照する。図２は、本発明の実施の形態である物理チャンネル／サブチャンネルテーブルの一例である。同図より、左端の列は、搬送波に対応する物理チャンネルのチャンネル番号が記載され、各物理チャンネルのチャンネル番号の左側の行には、同物理チャンネルに重畳されて送信される時間ごとのサブチャンネルのチャンネル番号が記載されている。例えば、ＡＭ１０：００〜ＰＭ０：００における物理チャンネル２に重畳されるサブチャンネルのチャンネル番号は、１が番組ＡＡＡ、２が番組ＢＢＢ、３が番組ＣＣＣ、４が番組ＤＤＤである。また、ＰＭ０：００〜ＰＭ１４：００においては、サブチャンネルは１でＦＦＦが放映されているだけである。上記したＳＩ情報は、時間によっても変化するため、マイコン１３ｂは、ＴＳの各受信に合わせて物理チャンネル／サブチャンネルテーブルの更新を行うことで、サブチャンネルの受信に対応する。これにより、ディジタルテレビジョン放送対応型テレビジョン１０は、マイコン１３ｂ、物理チャンネル／サブチャンネルテーブル、記録部１３ｃにてサブチャンネル設定手段を構成する。
【００３１】
上記アナログデコーダ１１ｃ、またはディジタルデコーダ１１ｄにより出力された映像信号は、マイコン１３ｂの指示のスイッチング部１１ｅにより切替られ映像回路１２に出力される。映像回路１２は、映像信号を後述する表示ディスプレイ１６の表示パネル１６ａの縦横比に合わせて分割するスケーラ部１２ａと、上記分割した映像信号に所定のディジタル画像処理を行うディジタル画像処理部１２ｃ、さらには、上記分割された映像信号の一時的な記録場所であるバッファ１２ｂとを有する構成である。スケーラ部１２ａは、映像信号を上述した表示パネル１６ａの縦横比に合わせて分割する他、マイコン１３ｂの指示の基、画面を複数分割させた分割画面上に異なる映像を表示することが可能である。また、ディジタルテレビジョン電波が受信された場合、ＴＳ内の物理チャンネルに対応する映像とサブチャンネルに対応する映像とはバッファに一時的に記録される。その後、リモコン１５によるチャンネル選局に基づいてマイコン１３ｂは、バッファ１２ｂに記録された物理チャンネルに対応する映像、もしくはサブチャンネルに対応する映像を選択する。
【００３２】
バッファ１２ｂに記録された映像信号は、その後表示ディスプレイ１６に出力される。表示ディスプレイ１６は、ＲＧＢの色が塗り分けられた画素を所定の横縦比（６４０×４８０）にてマトリクス状に配置する表示パネル１６ａと、上記分割された映像信号を基に、表示パネル１６ａの各画素に駆動電圧を印加するための駆動回路１６ｂとを有する構成である。表示パネル１６ａは駆動回路１６ｂから印加された駆動電圧に基づいて、ＲＧＢの各画素を駆動させることにより画面上に映像を表示する。表示パネル１６ａとしては、液晶パネルやプラズマディスプレイパネルなどが挙げられる。
【００３３】
また、チューナ部１１から出力された音声信号は、音声回路１７に出力される。音声回路１７は、マイコン１３ｂの指示の基音声信号の増幅を行い、上記増幅した信号をスピーカ１７ａから音声として出力する。
【００３４】
以下に記録部が記録する制御プログラムの概略フローを説明する。図３は制御プログラムのフローチャートである。同図より、リモコン１５の電源キー１５ｂ１を押圧すると、赤外線送信部１５ａより電源オン／オフ信号に対応した赤外線信号が出力される。制御部１３は上記赤外線信号を受け取ると、リモコンＩ／Ｆ１３ａが赤外線信号を再度電源オン／オフ信号に変換した後、マイコン１３ｂに出力する。マイコン１３ｂは上記オン／オフ信号を受け取って電源回路１４に表示装置１０ａに必要な電源を供給するよう指示を出す。電源回路１４は上記指示を受けてコンセント１４ａから供給された商用１００ボルト交流電源を整流し、所定の電圧値を有する電源電圧に変換して出力する。
【００３５】
上記状態で、ユーザがリモコン１５のチャンネルキー１５ｂ２、または１５ｂ３を操作すると（ステップＳ１００）、上述した方法でマイコン１３ｂはチャンネル切替信号をチューナ部１１に出力する（ステップＳ１２０、Ｓ１３０）。また、リモコン１５の音量キー１５ｂ４を操作した場合は（ステップＳ１４０）、マイコン１３ｂは、音量調整信号を音声回路１７に出力する（ステップＳ１５０）。さらに、メニューキー１５ｂ５を操作した場合は（ステップＳ１６０）、マイコン１３ｂは表示ディスプレイ１６にＯＳＤ映像を表示するようＯＳＤ回路１３ｄに指示を出す（ステップＳ１７０）。また、ＯＳＤ映像を基に、上述したアナログ／ディジタルチューナ１１ｂのオートプリセットを実行することができる（ステップＳ１８０）。
【００３６】
（２）サブチャンネル表示方法
ステップＳ１００にてチャンネルキー１５ｂ２、１５ｂ３の操作が行われた際、チャンネルキー１５ｂのみを操作した場合は、マイコン１３ｂは、上記チャンネルキー１５ｂ２の押圧に対応するアナログテレビジョン放送を事前にプリセットされた搬送波より選択するようチューナ部１１に指示を出す（ステップＳ１２０）。また、図４に図示するように、ステップＳ１１０にてチャンネルキー１５ｂ２を押圧した後、ハイフンキー１５ｂ７を押圧すると（ｓ１３０）、チャンネルキー１５ｂ２の押圧に対応するディジタルテレビジョン放送を、プリセットされた搬送波より選択するとともに、記録部１３ｃに記録されたサブチャンネル表示プログラムを読み出す。
【００３７】
図５は、サブチャンネル表示プログラムにて実行されるフローチャートである。同図より、マイコン１３ｂは、チャンネルキー１５ｂ２を押圧した後ハイフンキー１５ｂの入力を受け入れると、記録部１３ｃに記録された物理チャンネル／サブチャンネルテーブルを参照する（ステップＳ３００）。このとき、チューナ部１１はトランスストリームにより物理チャンネルとサブチャンネルとに重畳した新たな番組情報を取得し、バッファ１２ｂに記録している。このためマイコン１３ｂは、新たに取得したＳＩ情報と、事前に作成した物理チャンネル／サブチャンネルテーブルに表示された内容が同一の場合は、ステップＳ３２０に進み、映像回路１２にサブチャンネルを表示するよう指示を出す。また、ＳＩ情報と物理チャンネル／サブチャンネルテーブルとを比較して異なるサブチャンネルが重畳されている場合は新たなＳＩ情報を基に、映像回路１２にサブチャンネルを表示するよう指示を出す（ステップＳ３３０）。
【００３８】
具体的には、マイコン１３ｂは、物理チャンネル／サブチャンネルテーブルに記載されたサブチャンネルを画面を分割して一覧表示するよう映像回路１２に指示を出す。映像回路１２は、上記指示を受けて、バッファ１２ｂに記録された各サブチャンネルに対応する映像をスケーラ部１２ａにて分割した画面に表示されるよう縦横比を分割する。このとき、マイコン１３ｂは、バッファに記録された複数のサブチャンネルを数ミリ秒で順次切り替えてスケーラ部１２ａに出力する。これにより、通常の映像が仮に毎秒３０フレームであるのに対し、画面に表示されるサブチャンネルは毎秒３０／Ｎフレーム（Ｎ：画面に表示されるサブチャンネルの数）で表示されることとなる。
【００３９】
図６は、画面を分割して一覧表示するサブチャンネルの図である。同図より、画面に表示されるサブチャンネルの数は最大４件までとし、物理チャンネルに重畳されたサブチャンネルが４件以上である場合は画面左下にＮＥＸＴの文字列をＯＳＤ回路１３ｄにて表示させるようにする。リモコン１５の上記状態でリモコン１５の左右キー１５ｂ８を操作すると、次画面に残りのサブチャンネルが表示される。これにより、ディジタルテレビジョン放送対応型テレビジョン１０は、マイコン１３ｂによりサブチャンネル表示手段を構成する。
【００４０】
また、ステップＳ３１０にて新たに取得したＳＩ情報と物理チャンネル／サブチャンネルテーブルが異なる場合は（ステップＳ３３０）、マイコン１３ｂは、新たなＳＩ情報に基づいて映像回路１２にサブチャンネルを画面に表示するよう指示を出す。次に、マイコン１３ｂは、あらかじめ記録していた物理チャンネル／サブチャンネルテーブルに記載されないサブチャンネルを分割画面で表示する際、同画面の色を緑色にするなどしてユーザに確認を促すことができるようＯＳＤ回路１３ｄにＯＳＤ映像を重畳するよう指示を出す（ステップＳ３４０）。さらに、このとき、上記したサブチャンネルが表示されている分割画面に上記画面を「オードプリセットしますか」という文字列をＯＳＤ回路１３ｄに重畳して表示させることも可能である。サブチャンネル放送は、スポーツ放送の延長により通常の運営時間が突発的に変更する場合があり、ユーザが画面上で映像を確認することにより突発的なサブチャンネル放送の変更をプリセットしてしまうのを防止することが可能である。これにより、ディジタルテレビジョン放送対応型テレビジョン１０は、サブチャンネル変更対応手段を構成する。
【００４１】
分割画面に複数のサブチャンネルが表示された状態で、ユーザがリモコン１５の左右キー１５ｂ８を操作し「オートプリセットしますか」と表示されたサブチャンネルを選択し、リモコン１５のメニューキー１５ｂ５を押圧すると（ステップＳ３５０）、マイコン１３ｂは上記操作信号を受け入れて新たに取得したＳＩ情報に基づいて物理チャンネル／サブチャンネルテーブルを更新する（ステップＳ３６０）。さらに、再度左右キー１５ｂ８を操作し所定のサブチャンネルを選択するとともにＥＮＴＥＲキー１５ｂ６を押圧すると、マイコン１３ｂは上記操作を受け入れ映像回路１２に上記選択したサブチャンネルを表示ディスプレイ１６に表示するよう指示を出す（ステップＳ３７０）。最後にマイコン１３ｂは起動プログラムに戻り通常の制御を行う。
【００４２】
（３）まとめ
これにより、サブチャンネルをリモコン１５にて選択する際、マイコン１３ｂはサブチャンネル／物理チャンネルテーブルを作成し、同テーブルを基にチャンネルキー１５ｂ２の操作により物理チャンネルに対応するチャンネル番号を入力した後、ハイフンキーを入力することで物理チャンネルに重畳されたサブチャンネルを分割画面にて一覧表示してサブチャンネルを選択することが可能となるので、ユーザがサブチャンネルの選局を容易に行うことが可能であるとともに、物理チャンネル／サブチャンネルテーブルと重畳された番組情報を比較して、分割画面上で突発的に変化するサブチャンネルを認識可能に表示することができる。
【００４３】
また、請求項２にかかる発明は、特定周波数の搬送波に物理チャンネル、複数のサブチャンネル、さらには番組情報とが重畳されたディジタルテレビジョン電波を受信するチューナ部と、少なくとも複数のチャンネルキーとハイフンキーとを有するリモコンからの操作信号を受け付け、同リモコンが選択したチャンネル番号を基に、上記チューナ部が受信したディジタルテレビジョン放送を複数の映像を画面を分割して表示可能な映像表示手段とを有するディジタルテレビジョン放送対応型テレビジョンにおいて、
上記物理チャンネルのチャンネル設定のプリセットを行う際、同物理チャンネルに重畳されて送信されたサブチャンネルのチャンネル設定情報を上記番組情報を基に記録するサブチャンネル設定手段と、上記リモコンのチャンネルキーの操作にて上記物理チャンネルに対応したチャンネル番号を入力した後、上記ハイフンキーの操作を行うと、上記サブチャンネル設定手段にて記録された複数のチャンネル設定情報に基づいて、同物理チャンネルに重畳されたサブチャンネル放送を画面を分割して上記映像表示手段に表示させるサブチャンネル表示手段とを有する構成としている。
【００４４】
上記のように構成した請求項２にかかる発明において、サブチャンネル設定手段は、上記物理チャンネルのチャンネル設定のプリセットを行う際、同物理チャンネルに重畳されて送信されたサブチャンネルのチャンネル設定情報を上記番組情報を基に記録する。そして、サブチャンネル表示手段は、上記リモコンのチャンネルキーの操作にて上記物理チャンネルに対応したチャンネル番号を入力した後、上記ハイフンキーの操作を行うと、上記サブチャンネル設定手段にて記録された複数のチャンネル設定情報に基づいて、同物理チャンネルに重畳されたサブチャンネル放送を映像表示手段に画面を分割して表示させる構成としてあるので、ユーザに番組の選択の煩わしさを解消することができる。
【００４５】
そして、請求項３にかかる発明では、請求項２に記載のディジタルテレビジョン放送対応型テレビジョンであって、上記サブチャンネル表示手段は、上記チャンネル設定情報をトランスストリームごとに送信される番組情報を基に更新し、上記更新したチャンネル設定情報と前回のトランスストリームにて送信されたチャンネル設定情報とを比較するとともに、上記更新したチャンネル設定情報に新たなサブチャンネル放送が存在した場合は、上記新たなサブチャンネルを認識可能に表示するサブチャンネル変更対応手段を有する構成としてある。
【００４６】
上記のように構成した請求項３にかかる発明において、サブチャンネル表示手段は、上記チャンネル設定情報をトランスストリームごとに送信される番組情報にて更新するとともに、更新されたチャンネル設定情報と更新前のチャンネル設定情報を比較する。上記新たに更新されたチャンネル設定情報に新たなサブチャンネル放送が存在すれば、サブチャンネル変更対応手段は、上記サブチャンネル放送を分割画面に表示するとともに、同分割画面上で認識可能に表示する。
【００４７】
さらに、請求項４にかかる発明では、請求項３に記載のディジタルテレビジョン放送対応型テレビジョンにおいて、上記サブチャンネル変更対応手段は、上記新たに追加されたサブチャンネルを上記サブチャンネル表示手段に表示させる際、同サブチャンネルが表示される画面の色を変化する構成としてあるので、時間によって突発的に変化するサブチャンネルにも対応可能なサブチャンネルの一覧表示を提供することができる。
【００４８】
上記のように構成した請求項４にかかる発明において、新たなサブチャンネル放送を表示する場合は、サブチャンネル変更対応手段は、同サブチャンネルが表示される画面の色を変化させるので、突発的に変更になったサブチャンネルを分割画面にて認識可能に表示することができる。
【００４９】
さらに、請求項５にかかる発明は、請求項３に記載のディジタルテレビジョン放送対応型テレビジョンにおいて、上記サブチャンネル変更対応手段は、上記新たに追加されたサブチャンネルを上記サブチャンネル表示手段に表示させる際、同画面上に表示されたサブチャンネルのチャンネル設定情報を上記サブチャンネル設定手段に記録することを促す文字列を表示させる構成としてある。
【００５０】
上記のように構成した請求項５にかかる発明において、あらたなサブチャンネルの放送が見つかった場合は、サブチャンネル変更対応手段は、同画面上に表示されたサブチャンネルのチャンネル設定情報を上記サブチャンネル設定手段に記録することを促す文字列を表示させるので、ユーザに認識可能にサブチャンネルのオートプリセットを確認することができる。
【００５１】
なお、本発明は上記実施例に限られるものでないことは言うまでもない。当業者であれば言うまでもないことであるが、
・上記実施例の中で開示した相互に置換可能な部材および構成等を適宜その組み合わせを変更して適用すること
・上記実施例の中で開示されていないが、公知技術であって上記実施例の中で開示した部材および構成等と相互に置換可能な部材および構成等を適宜置換し、またその組み合わせを変更して適用すること
・上記実施例の中で開示されていないが、公知技術等に基づいて当業者が上記実施例の中で開示した部材および構成等の代用として想定し得る部材および構成等と適宜置換し、またその組み合わせを変更して適用すること
は本発明の一実施例として開示されるものである。
【図面の簡単な説明】
【００５２】
【図１】ディジタルテレビジョン対応型テレビジョンのブロック構成図である。
【図２】物理チャンネル／サブチャンネルテーブルを示す図である。
【図３】記録部が記録する起動プログラムのフローチャートである。
【図４】記録部が記録するサブチャンネル表示プログラムのフローチャートである。
【図５】サブチャンネルの選局を示す図である。
【図６】サブチャンネルの一覧表示である。
【図７】ディジタルテレビジョン放送で使用されるトランスストリームを表す図である。
【符号の説明】
【００５３】
１０…ディジタルテレビジョン放送対応型テレビジョン、１０ａ…表示装置、１１…チューナ部、１１ａ…アンテナ、１１ｂ…アナログ／ディジタルチューナ部、１１ｃ…アナログデコーダ、１１ｄ…ディジタルデコーダ、１１ｅ…スイッチング部、１２…映像回路、１２ａ…スケーラ部、１２ｂ…バッファ、１２ｃ…ディジタル画像処理部、１３…制御部、１３ａ…リモコンＩ／Ｆ、１３ｂ…マイコン、１３ｃ…記録部、１３ｄ…ＯＳＤ回路、１４…電源回路、１４ａ…コンセント、１５…リモコン、１５ａ…赤外線送信部、１５ｂ…操作キー、１５ｂ１…電源キー、１５ｂ２、１５ｂ３…チャンネルキー、１５ｂ４…音量キー、１５ｂ５…メニューキー、１５ｂ６…ＥＮＴＥＲキー、１５ｂ７…ハイフンキー、１５ｂ８…左右キー…ハイフンキー、１６…表示ディスプレイ、１６ａ…表示パネル、１６ｂ…駆動回路、１７…音声回路、１７ａ…スピーカ、
【図１】
2007266686.tif 000003
【図２】
2007266686.tif 000004
【図３】
2007266686.tif 000005
【図４】
2007266686.tif 000006
【図５】
2007266686.tif 000007
【図６】
2007266686.tif 000008
【図７】
2007266686.tif 000009